(57)【要約】【課題】  本発明は、イオン導入器、赤外線（遠赤外線を含む）発生器および超音波振動器と、使用する化粧料の有機的な組み合わせを図り、その使用に際して、保湿用・美白用化粧料のより有効な作用をもたらすと共に皮膚へのトラブルがないようにし、さらには使用する化粧料を特定することにより、より効果的な美容作用を図り、また永年の課題であり、女性の肌の敵である乾燥肌、老化肌の改善やメラニンの分解、排除を図るものである。【解決手段】  水親和性ジェル、超微粒ジェルなどの保湿用・美白用の化粧料を顔やその他の肌、又は超音波振動器の皮膚接触部に塗布又は含浸させ、高イオン化用イオン導入器２及び赤外線発生器９を内蔵する所定の超音波振動器３により、イオン導入並びに高周波振動を一定時間顔や肌に当てることを特徴とする、美肌・美容システムによる。【選択図】        図１
2005245521.tif 000002
【特許請求の範囲】
【請求項１】
高周波による超音波振動器及びイオン導入器並びに化粧品添加物との組み合わせによることを特徴とする、美肌又は美容システム。
【請求項２】
前記美肌又は美容システムは、高イオン化用イオン導入器を内蔵する超音波振動器を使用することを特徴とする、請求項１項に記載の美肌又は美容システム。
【請求項３】
前記美肌又は美容システムは、保湿用の化粧品添加物及び／又は美白用の化粧品添加物を使用することを特徴とする、請求項１項に記載の美肌又は美容システム。
【請求項４】
前記美肌又は美容システムは、ヒアルロン酸、コラーゲン、プラセンタエキス、酒粕エキス及び／又は海洋深層水酒粕エキス、乳酸、その他の天然保湿剤を保湿用化粧品添加物として使用することを特徴とする、請求項１項に記載の美肌又は美容システム。
【請求項５】
前記美肌又は美容システムは、ハイドロキノン類、ビタミンＣ誘導体、プラセンタエキスなどを美白用化粧品添加剤として使用することを特徴とする、請求項１項に記載の美肌又は美容システム。
【請求項６】
前記美肌又は美容システムは、３ＭＨｚ〜５ＭＨｚに係る周波数による超音波振動器を使用することを特徴とする、請求項１項に記載の美肌又は美容システム。
【請求項７】
前記美肌又は美容システムにおいて、化粧品添加物は化粧料成分がイオン化できる抗酸化・抗チロシナーゼ化粧料であることを特徴とする、請求項１項に記載の美肌又は美容システム。
【請求項８】
前記美肌又は美容システムにおいて、化粧品添加物は水親和性ジェルであることを特徴とする、請求項１項に記載の美肌又は美容システム。    
【請求項９】
前記美肌又は美容システムにおいて、化粧品添加物は超微粒ジェルであることを特徴とする、請求項１項に記載の美肌又は美容システム。
【請求項１０】
前記美肌又は美容システムは、高イオン化用イオン導入器を内蔵し、３ＭＨｚ〜５ＭＨｚに係る周波数による超音波振動器を使用し、化粧品添加物として、水親和性ジェルおよび／または超微粒ジェルを使用することを特徴とする、請求項１項に記載の美肌又は美容システム。
【請求項１１】
前記美肌又は美容システムは、高イオン化用イオン導入器を内蔵し、赤外線（遠赤外線を含む）発生装置並びに３ＭＨｚ〜５ＭＨｚに係る周波数による超音波振動器を使用し、化粧品添加物として、水親和性ジェルおよび／または超微粒ジェルを使用することを特徴とする、請求項１項に記載の美肌又は美容システム。
【請求項１２】
前記美肌又は美容システムにおいて、超音波振動による皮膚摩擦熱、基礎代謝増加による、新陳代謝、脂肪燃焼を特徴とする、請求項１項に記載の美肌又は美容システム。
【請求項１３】
前記美肌又は美容システムにおいて、超音波振動器に化粧料を貯留し、浸み出させる部品を有することを特徴とする、請求項１項に記載の美肌又は美容システム。
【請求項１４】
高イオン化用イオン導入器並びに赤外線又は遠赤外線発生器を内蔵する超音波振動器を使用することを特徴とする超音波美顔器。
【請求項１５】
前記超音波美顔器は３ＭＨｚ〜５ＭＨｚに係わる周波数による超音波振動器を使用することを特徴とする、請求項１４項に記載の超音波美顔器。
【発明の詳細な説明】
【技術分野】
【０００１】
本発明は、超音波美肌又は美容システムに関し、特にイオン導入機能を内蔵した美容作用が安全に図れる、ハンディな超音波振動器と、化粧品添加物との組み合わせによる、美肌又は美容システムに関するものである。
【背景技術】
【０００２】
近年、美容についての関心は老若男女を問わず極めて高いものがあり、殊に顔に対しては化粧料の作用をいかに高めるか、顔や肌に対する安全をいかに図るかの追求がなされており、手で化粧料を顔や肌に施すことの他に、イオン導入器や超音波振動器などの機器によりさらに効率化を図ることが研究されてきている。
【０００３】
このような観点から、イオン導入器を利用して化粧料の浸透作用を図ったものや超音波を利用して、その振動などにより化粧料を顔や肌に吸収させようとするものや、或いは又同様にして超音波を利用し、その振動などによって顔や肌の汚れなどを落とすものなどが現れている。
一般に、超音波振動による美肌、美顔は、人の手では不可能なミクロな振動により、肌にクレンジング効果を与え、古い角質を除去し、肌をより正常な状態に整え、活性化を図るものである。
また、周知のようにイオン導入による美肌技術も、一般的な外用塗布では殆ど皮膚に吸収されないビタミン類などをいわゆるイオン化させ、電流にのせて皮膚に浸透させるものである。
【０００４】
しかしながら、本来人の肌は極めてデリケートなものであり、人によっては化粧料の種類により、かぶれや痒みなどを生じたり、場合によっては顔や肌に対してそれ以上の大きなダメージを与えることとなる。これは、超音波を利用した振動機器類の場合でも同様であり、これらの機器類を長時間、長日使用することにより、知らず知らずの内に顔や肌に対してダメージを与え、皮膚トラブルとなることがある。
【特許文献１】特開２００１ー２５９０４５号公報
【０００５】
上記の特許文献は、電子美肌器と該電子美肌器によるイオン導入方法に関するものであり、長時間連用しても皮膚にトラブルを発生しない安全であり且つ充分な効果を短時間で得られる電子美肌器を開発することを解決課題とし、施術部位の皮膚に有効成分のイオンを導入するためのイオン導入電極と、前記イオン導入電極を介して施術部位の皮膚に超音波振動を付与する超音波振動子を有することを特徴としている。
【発明の開示】
【発明が解決しようとする課題】
【０００６】
上記特許文献は、電子美肌器と該電子美肌器によるイオン導入方法に関するものであり、本願発明とは機器のメカニズム及びシステムを全く異にするものである。
本発明者は長時間使用しても皮膚にトラブルを発生しない安全であり且つ充分な効果を短時間で得られる電子美肌器を開発することを解決課題とし鋭意検討を続けてきた。その結果施術部位の皮膚に特定の波長の超音波振動を付与する超音波振動子を有する機器の開発に成功したのである。本願発明はイオン導入器並びに超音波振動器を用い、化粧品添加物との有機的な組み合わせによる美肌・美容システムを提供するものである。
【０００７】
本発明が解決しようとする課題は、従来見られるイオン導入器、超音波振動器又はこれらの組み合わせにかかるものの不具合を解消し、上記の超音波振動器・イオン導入器と、使用する化粧品添加物との有機的な組み合わせを図り、その使用に際して、化粧料のより有効な作用をもたらすと共に、これらの機器類の使用の際の安全性、即ち皮膚へのトラブルがないようにすることである。より具体的には、超音波振動器における周波数を特定し、使用する化粧料を水親和性ジェルなどの保湿用化粧品添加物及び／又は美白用化粧品添加物などの化粧料、特に化粧料基剤の相互反応性を考慮した、化粧料成分がイオン化できる抗酸化・抗チロシナーゼ化粧料に特定することにより、その使用の安全性を図り、またより効果的な美容作用を図ることであり、さらにまた永年の課題であり、女性の肌の敵である乾燥肌、老化肌の改善やメラニンの分解、排除を図るものである。
【０００８】
すなわち、本発明者らは、上記の超音波振動器を種々鋭意検討した結果、周波数が一定以上の高周波範囲に特定した場合には、そのウェーブが小さく、却って皮膚への安全が図れることや、保湿用化粧品添加物及び／又は美白用化粧品添加物などの特定の化粧料、或いはまた水親和性ジェルなどの化粧料や化粧料成分がイオン化できる、抗酸化・抗チロシナーゼ化粧料（美白用化粧料、以下同じ）との組み合わせによる場合には、化粧料基剤の相互反応性が良好であり、化粧料の安定性が図られ、さらにはメラニンの低分子化・細粒子化・微粒子化による蛋白剥離、分解、排除による化粧料機能の飛躍的向上を図り、なおさらにまた光・空気による影響を受けない良好な美肌・美容システムとなり、結果的に美容効果の明確な向上を図り得ることを知見したものである。
【課題を解決するための手段】
【０００９】
上記の目的、課題は、本発明によれば、高周波による超音波振動器及びイオン導入器並びに化粧品添加物との組み合わせによることを特徴とする、美肌又は美容システムにより達成される。
この発明においては、高周波による超音波振動器とイオン導入器、更には化粧品添加物との組み合わせによる美肌又は美容システムで、これらの機器の肌に対する良好な作用を相乗効果的に利用し、さらに化粧品添加物との組み合わせにより、この作用を更に高めたものである。
【００１０】
また、本発明の目的は、本発明によれば、前記美肌又は美容システムは、高イオン化用イオン導入器を内蔵する超音波振動器を使用することを特徴とする、請求項１項に記載の美肌又は美容システムにより達成される。
この発明においては、上記の特徴に加えて、イオン導入器をさらに高イオン化用イオン導入器に特定したことにより、美肌、美容作用を更に高めたものである。
【００１１】
また本発明の目的は、本発明によれば、前記美肌又は美容システムは、保湿用の化粧品添加物及び／又は美白用の化粧品添加物を使用することを特徴とする、請求項１項に記載の美肌又は美容システムにより達成される。
この発明においては、上記の特徴に加えて、さらに保湿用の化粧品添加物及び／又は美白用の化粧品添加物を使用したので、美白作用を含めた美肌、美容作用を更に高めたものである。
【００１２】
また、本発明の目的は、本発明によれば、前記美肌又は美容システムは、ヒアルロン酸、コラーゲン、プラセンタエキス、酒粕エキス及び／又は海洋深層水酒粕エキス、乳酸、その他の天然保湿剤を保湿用化粧品添加物として使用することを特徴とする、請求項１項に記載の美肌又は美容システムにより達成される。
この発明においては、上記の特徴に加えて、さらに保湿用の化粧品添加物を具体的に特定したので、保湿作用を含めた美肌、美容作用を更に高めたものである。
【００１３】
また、本発明の目的は、本発明によれば、前記美肌又は美容システムは、ハイドロキノン類、ビタミンＣ誘導体、プラセンタエキスなどを美白用化粧品添加剤として使用することを特徴とする、請求項１項に記載の美肌又は美容システムにより達成される。
この発明においては、上記の特徴に加えて、さらに美白用の化粧品添加物を具体的に特定したので、美白作用を含めた美肌、美容作用を更に高めたものである。また、この発明においては、上記の特徴に加えて、超音波を使用することで酵素活性が高まり、ビタミンＣ誘導体がアスコルビン酸に変換するのを促進させるので、美肌、美容作用を更に高めることができるものである。
【００１４】
また、本発明の目的は、本発明によれば、前記美肌又は美容システムは、３ＭＨｚ〜５ＭＨｚに係る周波数による超音波振動器を使用することを特徴とする、請求項１項に記載の美肌又は美容システムにより達成される。
この発明においては、上記の特徴に加えて、美肌・美容システムにおいて、さらに使用する周波数を３ＭＨｚ〜５ＭＨｚの高域に特定したので、皮膚脂肪に良好な影響が与えられ、またウェーブが小さいので皮膚への安全が図られ、振動発振による作用がより効果的である。
【００１５】
また、本発明の目的は、本発明によれば、前記美肌又は美容システムにおいて、化粧品添加物は化粧料成分がイオン化できる抗酸化・抗チロシナーゼ化粧料であることを特徴とする、請求項１項に記載の美肌又は美容システムにより達成される。
この発明においては、上記の特徴に加えて、さらに化粧料成分がイオン化できる抗酸化・抗チロシナーゼ化粧料を含むジェルなどの化粧料であるので、化粧料基剤の相互反応性が良好であり、化粧料の安定性が図られ、また光・空気による影響がない。
【００１６】
また、本発明の目的は、前記美肌又は美容システムにおいて、化粧品添加物は水親和性ジェルであることを特徴とする、請求項１項に記載の美肌又は美容システムにより達成される。
この発明においては、上記の特徴に加えて、さらに化粧料成分が水親和性ジェルであるので、超音波による水への伝達性が良好であることより、超音波振動による肌への浸透が図れる。
【００１７】
また、本発明の目的は、前記美肌又は美容システムにおいて、化粧品添加物は超微粒ジェルであることを特徴とする、請求項１項に記載の美肌又は美容システムにより達成される。
この発明においては、上記の特徴に加えて、さらに化粧料成分がいわゆるナノジェルと云われている超微粒ジェルであるので、超音波による肌への伝達性が良好であることにより、超音波振動による肌への浸透が図れる。
【００１８】
また、本発明の目的は、前記美肌又は美容システムは、高イオン化用イオン導入器を内蔵し、３ＭＨｚ〜５ＭＨｚに係る周波数による超音波振動器を使用し、化粧品添加物として、水親和性ジェルおよび／または超微粒ジェルを使用することを特徴とする、請求項１項に記載の美肌又は美容システムにより達成される。  この発明においては、上記の特徴に加えて、美肌・美容システムにおいて、さらに使用する周波数を３ＭＨｚ〜５ＭＨｚの高域に特定したので、皮膚脂肪に良好な影響が与えられ、またウェーブが小さいので皮膚への安全が図られ、振動発振による作用がより効果的である。さらにまた、イオン導入器をさらに高イオン化用イオン導入器に特定したことにより、美肌、美容作用を更に高めたものである。また化粧料成分が水親和性ジェルであるので、超音波による水への伝達性が良好であることより、超音波振動による肌への浸透が図れ、また化粧料成分がいわゆるナノジェルと云われている超微粒ジェルであるので、超音波による肌への伝達性が良好であることにより、超音波振動による肌への浸透が図れる。
【００１９】
また、本発明の目的は、前記美肌又は美容システムは、高イオン化用イオン導入器を内蔵し、赤外線（遠赤外線を含む）発生装置並びに３ＭＨｚ〜５ＭＨｚに係る周波数による超音波振動器を使用し、化粧品添加物として、水親和性ジェルおよび／または超微粒ジェルを使用することを特徴とする、請求項１項に記載の美肌又は美容システムにより達成される。
この発明においては、上記の特徴に加えて、美肌・美容システムにおいて、さらに赤外線（遠赤外線を含む）発生装置を設けたので、これにより温熱効果がみられ、血行がよくなり、化粧料の肌への浸透がよくなる。すなわち、赤外線（遠赤外線を含む）は、人体などを組み立てている原子相互の振動と共振・共鳴させることにより、原子の動きを活発にして温熱効果をもたらし、それにより体内の血行を促進させ、新陳代謝を促すことができる。
【００２０】
また、本発明の目的は、本発明によれば、前記美肌又は美容システムにおいて超音波振動による皮膚摩擦熱、基礎代謝増加による、新陳代謝、脂肪燃焼を特徴とする、請求項１項に記載の美肌又は美容システムにより達成される。
この発明においては、この超音波振動は皮膚との摩擦熱を生じ、これが皮膚に浸透し血行の促進による新陳代謝、基礎代謝増加による脂肪の燃焼が図れる。
【００２１】
また、本発明の目的は、本発明によれば、前記美肌又は美容システムにおいて、超音波振動器に化粧料を浸み出させる部品を有することを特徴とする、請求項１項に記載の美肌又は美容システムにより達成される。
この発明においては、上記の特徴に加えて、さらにジェルなどの化粧料を貯留し、浸み出させる部品を上記機器内に設けたので、使用の都度毎に化粧料を塗布する手間が省ける。
【００２２】
また、本発明の目的は、本発明によれば、高イオン化用イオン導入器並びに赤外線又は遠赤外線発生器を内蔵する超音波振動器によることを特徴とする、超音波美顔器により達成される。
【００２３】
また、本発明の目的は、本発明によれば、前記超音波美顔器は３ＭＨｚ〜５ＭＨｚに係わる周波数による超音波振動器を使用することを特徴とする、請求項１４項に記載の超音波美顔器により達成される。
【発明の効果】
【００２４】
本発明は、超音波による高イオン化であるので、使用するジェルなどの化粧料の皮膚への浸透、吸収が増加する。
【００２５】
また、本発明は、上記の機器類と併せて、ヒアルロン酸、コラーゲン、プラセンタエキス、酒粕エキス及び／又は海洋深層水酒粕エキス、乳酸、その他の天然保湿剤を保湿用化粧品添加物として使用するので、保湿作用効果がより高まる。
【００２６】
また、本発明は、上記の機器類と併せて、ハイドロキノン類、ビタミンＣ誘導体、プラセンタエキスなどを美白用化粧品添加剤として使用するので、美白作用効果がより高まる。
【００２７】
また、本発明は、ビタミンＣ誘導体などの化粧料成分がイオン化できる抗酸化・抗チロシナーゼ化粧料成分を併せて利用したので、化粧料基剤の相互反応性が良好であり、化粧料の安定性が高まり、また光・空気による影響がなく、本願の美肌・美容システムにおける作用がより高まる。
【００２８】
また、本発明は、水親和性ジェルや超微粒ジェル（ナノジェル）などの特定な化粧料成分を超音波振動器と併せて使用したので、化粧料の肌への浸透が良く図られ、また化粧料基剤の相互反応性が良好であり、化粧料の安定性が高まり、さらにまた光・空気による影響がなく、本願の美肌・美容システムにおける作用がより高まる。
【００２９】
また、本発明は、周波数を好適な高周波範囲に特定したので、周波数のウェーブが小さく、超音波振動器を長時間使用しても皮膚への安全が図れる。また、本発明は、一秒間に５００万回という、ミクロの振動が、ハンドマッサージでは届かない、皮膚組織の深層部にある筋肉を刺激し、肌のハリと弾力を取り戻す作用効果がある。また、肌のたるみはシワの原因と同様に、肌のハリの源となっているコラーゲン・エラスチンの再生機能の低下などが原因であるが、上記の超音波によって吸収率の高まった状態の肌に、良質なコラーゲン、エラスチンを与えることができ、これにより肌にハリがでてフェイスライン・頬のリフトアップ作用効果がある。
【００３０】
また、本発明は、上記のようにミクロの振動を生ずる超音波により、皮膚細胞をマッサージでき、シミやくすみの改善効果がある。シミやくすみの症状は、上記超音波の新陳代謝促進効果と温熱効果による血行促進により改善効果がある。
【００３１】
また、本発明は、上記のようにミクロの振動を生ずる超音波により、肌に吸収されることで、温熱効果をもたらし、血行を良くし、更に真皮層にも働きかけ、リンパの流れを改善し、充分な酸素や栄養素を供給し、活性酸素を排除し、筋肉にも刺激を与えるので、顔にハリが戻り、その結果シワの改善効果がある。
【００３２】
また、本発明は、上記のようにミクロの振動を生ずる超音波による振動効果により、毛穴に入り込んだ汚れ、古くなった角質やメラニン色素などを浮き上がらせて、ターンオーバーを正常に戻す効果がある。
【００３３】
また、本発明は、周波数を好適な高周波範囲に特定したので、高周波による周波数が皮膚脂肪に良好な影響を与える。
【００３４】
また、本発明は、特にイオン化し易い、ビタミンＣ誘導体などを添加したので、化粧料の皮膚への浸透、吸収が増加し、本願の美肌・美容システムにおける作用がより高まる。
【００３５】
また、本発明は、超音波・高周波により、高分子蛋白の低分子化・細粒子化・微粒子化が図られ、それによりメラニンを剥離・破壊・分解・吸着し、顔や肌の美白につながる。
【００３６】
また、本発明は、超音波・高周波により、この超音波振動による皮膚との摩擦熱が皮膚に浸透し、血行促進・新陳代謝を促し、基礎代謝増加による脂肪の燃焼が図れる。
【００３７】
また、本発明は、赤外線（遠赤外線を含む）発生装置を設けたので、これにより温熱効果がみられ、血行がよくなり、化粧料の肌への浸透がよくなる効果がある。
【発明を実施するための最良の形態】
【００３８】
以下、この発明の好適な実施形態を図１乃至図２を参照にしながら、詳細に説明する。なお、以下に述べる実施形態は、本発明の好適な具体例であるから、技術的に好ましい種々の限定が付されているが、本発明の範囲は以下の説明において特に本発明を限定する旨の記載がない限り、これらの態様に限られるものではない。
【００３９】
本発明はイオン導入機能を内蔵したハンディな超音波美肌器を使用し、更には保湿用・美白用の化粧品添加物との組み合わせによる、美肌・美容システムである。
一般に、超音波振動による美肌、美顔は、上述のように人の手では不可能なミクロな振動により、肌にクレンジング効果を与え、古い角質を除去し、肌をより正常な状態に整え、活性化を図るものである。また、この超音波振動は皮膚との摩擦熱を生じ、これが皮膚に浸透し血行の促進による新陳代謝などの好影響を与えることが知られている。
【００４０】
また、一般に、イオン導入による美肌、美顔は、上述のように外用塗布では殆ど吸収されないビタミンＣなどをいわゆるイオン化し、電流にのせてこれらを皮膚内部にまで浸透させるものである。これまで表面に塗布した化粧料などの成分は、皮膚表面に止まり、本来必要としている皮膚深部まで届かなかったが、イオン導入法により、これが可能となったものである。また、一方このイオン導入は、皮膚内部からの不要物の排泄作用もみられる。即ち、肌の汚れが有するイオンを直流電流で汚れに流し、体に対局電流を流してこの汚れを肌から引き離している。かかる作用が超音波振動器による作用効果と相まって所期の目的を達っせんとするものである。
【００４１】
本発明においては、上述のようにイオン導入器において、高イオン化させ、それを促進しているが、具体的にはイオン導入を図る化粧液の成分が有するイオンを直流電流にて成分に流し、体に対極電流を流している。
【００４２】
図１は本発明の美肌・美容システムにおいて使用するイオン導入器付き超音波美肌器の斜視図であり、（Ａ）は顔や肌に接する面を表し、（Ｂ）は使用する際の操作パネル面を表している。ここで、１はイオン導入器付き超音波美肌器の本体、３は超音波振動器、６は前記超音波振動器３の一端部に設けられたヘッド部であり、美容を施す顔や肌に当てて使用する。また、このヘッド部３には保湿用や美白用の化粧品添加物などを染み込ませて使用することができる。４は前記ヘッド部６側と後述のパネル面７側とに＋と−とで設けられたイオン導入用の電極であり、切り換えることができるようにし設定されている。７は前記超音波振動器３の片面に設けられた操作パネルを示し、振動の強弱や、周波数範囲の設定、更にはタイマーなどが設定出来るように設けられている。
図２は本発明の美肌・美容システムにおいて使用するイオン導入器付き超音波美肌器１の断面図で、（Ａ）は正面透視図、（Ｂ）は側面断面図である。ここで、２は前記超音波振動器３に内蔵されたイオン導入器を示し、４は前記イオン導入器２におけるイオン導入用電極を示し、５は電池などの電源を示している。なお、電源５は業務用などにおいては電池に代えて直流又は交流電流を用いることができる。８は前記超音波振動器３内に設けた、化粧料の貯留部であり、使用時には化粧料を浸み出させる。９は赤外線（遠赤外線）発生器である。
【００４３】
以下に、本発明の特長である、メラニンの分解、排除について詳細する。
メラニンは皮膚の紫外線カットの面で重要な役割を演ずるが、一方においてはシミ、ソバカス、クマなどの原因とされ化粧品業界ではこれらの除去、予防物資の開発に注力している現状である。メラニンは高分子物質であり、皮膚にあっては蛋白質と結合しメラノサイトに存在する。現在、ハイドロキノン類、ビタミンＣおよびその誘導体などの還元性物質がメラニンの形成予防や除去に使用されているが、蛋白質と結合した高分子のメラニンを除去することは容易でないことは当業者にとっては自明の理である。そもそもメラニンはアミノ酸の一種チロシンが酵素チロシナーゼ、紫外線の影響を受けて数段階の過程を経て形成されるものであるが、前述の還元性物質はその各段階の反応生成物を前段階に戻す役割においては有効であるものの、一旦形成されたメラニンはもはや容易に元に戻らないことは周知の通りである。
【００４４】
本発明者らは、超音波が蛋白質との結合物からの剥離、脱着および高分子の粒子の細粒化、微粒子化、低分子化作用を有することに着目し、さらにイオン導入による還元性物質の導入・攻撃、皮膚組織よりの排泄作用に着目し本発明を完成させたものである。つまり、本発明は超音波、イオン導入を組み合わせた装置を用い、更に今まで見られなかった高周波の利用や、保湿用・美白用の化粧品添加物との組み合わせにより、化粧作用効果の増加、機器の安全な使用、更にメラニン除去を図る、従来類を見ない新規な美容法（美顔法）である。
【００４５】
以下に本発明の実施例を記載するが、本発明はこの実施例によって何ら限定されるものではないことはもとよりである。
【実施例１】
【００４６】
上記の保湿用及び美白用化粧品添加物であるプラセンタエキスおよびビタミンＣ誘導体を含む化粧料を顔に塗布し、上記の高イオン化用イオン導入器及び赤外線発生器を内蔵する超音波振動器により、５ＭＨｚの周波数により１５分間振動させ、これを毎日繰り返して３０日間続けた。
これにより、これらの機器の肌に対する良好な作用が相乗効果的に高まることがとが判明した。
【実施例２】
【００４７】
原料名（表示名称）                            配合量      
１    水                                        ７８．３８
２    ＢＧ                                        ４．００
３    グリセリン                                  ４．００
４    ベタイン                                    １．００
５    ペンチレングリコール                        １．００
６    アミノカプロン酸                            ０．２０
７    フェノキシエタノール                        ０．３０
８    ＰＥＧ−２０ソルビタンココエート            ０．５０
９    カルボマー                                  ０．４０
１０    アルギニン                                  ０．４０
１１    キサンタンガム                              ０．１０
１２    オウバクエキス                              ０．１２
１３    酒粕エキス                                  ７．００
１４    プラセンタエキス                            ２．５０
１５    リン酸アスコルビルMg                        ０．１０
計  １００．００
上記のように、高濃度で配合し、油分を極力抑えて得られた水親和性ジェル化粧料並びにイオン化促進用ビタミンＣ誘導体成分を顔に塗布し、上記の高イオン化用イオン導入器及び赤外線発生器を内蔵する超音波振動器により、５ＭＨｚの周波数により１５分間振動させ、これを毎日繰り返して３０日間続けた。
これにより、これらの機器の肌に対する良好な作用が相乗効果的に高まることがとが判明した。殊に、化粧料の肌への浸透率の向上並びにメラニン分解、除去が図れることが判明した。
【実施例３】
【００４８】
海洋深層水酒粕（新潟県（株）北雪酒造製；  新潟県佐渡島南海域沖合い１，０００m〜４，０００m、好適範囲２，０００m〜３，０００m；取水深度は２５０m〜５００m、好適範囲３００m〜４００m）２００gに１００％エタノ−ル６００mLを加え室温に６日間ときどき攪拌しながら放置して抽出を行う。これを濾過し、濾液を減圧で濃縮する。ここに得られた残渣にイオン交換水３０mLを加えると油分が分離する。この油分を酢酸エチル５０mL×２回で抽出除去する。残った水溶液を減圧濃縮乾固して目的のシラップ５gが得られた。
上記により得られた酒粕エキス及び／又は海洋深層水酒粕エキス（以下、ホルス吟醸エキスと云う）を下記の化粧水成分に添加混合した結果、ＳＯＤ様活性作用、チロシナーゼインヒビター作用効果の優れた化粧水を得た。
原料名（表示名称）                          配合量    
１    水                                      ８１．７５
２    グリセリン                                ５．００
３    ＢＧ                                      ５．００
４    リン酸アスコルビルMg                      １．００
５    プラセンタエキス                          １．００
６    酒粕エキス                                ２．００
７    サイタイエキス                            １．００
８    オウゴンエキス                            ０．１０
９    アシタバエキス                            ０．１０
１０    ソウハクヒエキス                          ０．１０
１１    アロエベラエキスー1                       ０．１０
１２    グリチルリチン酸２k                       ０．１０
１３    リン酸２Na                                ０．２０
１４    リン酸Na                                  ０．０５
１５    フェノキシエタノール                      ０．５０
１６    エタノール                                ２．００
計  １００．００
上記のように、海洋深層水酒粕エキスを含有する化粧水を上記の高イオン化用イオン導入器及び赤外線発生器を内蔵する所定の超音波振動器に設けられたヘッド部に含浸させた上で、これを顔に当て５ＭＨｚにより１５分間振動させ、これを毎日繰り返して３０日間続けた。
これにより、これらの機器の肌に対する良好な作用が相乗効果的に高まることが判明した。殊に、化粧料の肌への浸透率の向上並びにメラニン分解、除去が図れることが判明した。
［試験例１］
【００４９】
以下に、ビタミンＣのヒト皮膚浸透実験結果を記する。
［部位］  大腿：
［実験手順］
（１）ビタミンＣを５分間イオン導入する。
（２）５時間経過した後、５mmパンチし表皮・真皮に分離して凍結乾燥。
（３）ＨＰＬＣを用い、各濃度の測定を行う。
１）凍結乾燥検体を各５００μLの移動層に溶解させる。
２）超音波１０分施行。
３）０．２μmフィルターにてろ過する。
４）ＨＰＬＣ測定：
・測定条件：
移動層：  ２．８mM  Mn−ヘキシルアミンー０．１mMエデト酸二ナトリウム・２％メタノールを含む０．０８M  ＣＨ３ＣＯＯＨ−ＣＨ３ＣＯＯＮａ緩衝液（ｐＨ５．０）
測定量：  ２０μL
流速：  ０．８mL／min
波長：  ２５４nm
カラム：  ＯＤＳ  カラムオーブン：  ４０°Ｃ
［結果］
表皮（ppm）         真皮（ppm）
アスコルビン酸              ０．０２            ０．０５  
リン酸Ｌ−アスコルビルMg    ０．４３            ０．４０  
［考察］
・真皮ではわずかにアスコルビン酸が増加して誘導体量が減少した。しかし、合計値に変化はないことから、真皮内で誘導体が酵素によりアスコルビン酸に変化したものと考えられる。
なお、超音波美顔器との関連については、超音波を使用することで酵素活性が高まり、ビタミンＣ誘導体がアスコルビン酸に変化するのを促進させると考えられる。
［試験例２］
【００５０】
以下に、ビタミンＣのコラーゲン合成促進活性の試験結果を記する。
［試験方法］
ビタミンＣイオン導入をマウスでは２週間、ヒトでは３ケ月間毎日行った後、皮膚組織を採取し、そのコラーゲン量を定量した。ブランクはイオン導入を行っていない同部位とした。試験に用いたサンプルは以下の３種類である。
（１）ラット腹部：
（２）ヒト顔（ｓｏｌａｒ  ｅｌａｓｔｏｓｉｓあり）：
（３）ヒト腕：
［試験結果］
ビタミンＣ導入、ブランクの溶液のイオン導入後によるコラーゲン量は図３に示す通りとなった。
何れの結果においてもビタミンＣ溶液をイオン導入することにより、コラーゲン合成量が有意に増加していることが明らかになった。
［試験例３］
【００５１】
ビタミンＣイオン導入法（イオントフォレーシス）は、単純塗布と比べて経皮吸収を促進させるひとつのドラッグデリバリーシステムと云われているが、これまで実際の基礎的データは殆どなかったのが実情である。
そこで本発明者は、ラット背部皮膚にＣ−アスコルビン酸（以下ビタミンＣとする）０．１％希釈液の単純塗布とイオン導入をそれぞれ行い、シンチレーションカウンターとオートラジオグラフィーを用いてビタミンＣの浸透性の比較を行った。
［方法］
０．１％ビタミンＣをヘアレスラットの背部皮膚へ２０秒間イオン導入および１０分間塗布を行い、経過時間ごとに組織を各１cm2"ずつ採取した（イオン導入については、コントロール，０．５h，１h，２h，３h，６h毎、塗布についてはコントロール，１h，２h，３h，６h毎に採取）。その後、組織を０．５cm2ずつに２分割し、ひとつはシンチレーションカウンター用試料として表皮と真皮を剥離した。もうひとつはオートラジオグラフィー用試料として凍結切片を作成し、現像した。それぞれの組織に浸透したビタミンＣ濃度は、放射性同位体（ＲＩ）を用いて測定した。
［結果］
シンチレーションカウンターによるビタミンＣの浸透比較（図４，図５）：
・表皮の場合：  イオン導入では０．５時間でピークとなり、単純塗布では３時間でピークとなった。
・真皮の場合：イオン導入では１時間でピークとなり、単純塗布では６時間でピークとなった。イオン導入では単純塗布の約３０倍の浸透性であった。
オートラジオグラフィーによるビタミンＣの浸透比較：
・単純塗布の場合：時間を追うごとに表皮から真皮に浸透していく（図６）。
・イオン導入の場合：０．５時間からすでに浸透を始めており、１時間でさらに顕著に浸透した（図７）。
これらの図（写真）はラットの皮膚組織の断面を表しており、表皮および真皮に見える黒い点がビタミンＣである。
［結論］
水溶性ビタミンＣは塗布しただけでも十分効果的に浸透するが、さらにイオン導入を用いた場合、短時間で多くのビタミンＣを浸透させることが確認された。また、ビタミンＣを塗布した場合とイオン導入した場合の浸透量の差は、特に真皮で顕著に示され、その浸透量は単純塗布の約３０倍となった。
上記の試験例３はラットによるものであるが、上述のように顕著な効果が見られ、人の肌に対しても効果的であることが容易に推察できる。
【００５２】
なお、以上のように、本発明はイオン導入器及び赤外線発生器を内蔵した超音波振動器と保湿用・美白用化粧品添加物との組み合わせによる美肌・美容システムとして説明したが、化粧料の代わりに医薬品を使用することにより、医療用の美肌・美容システムとしても使用可能であることは云うまでもない。
【産業上の利用可能性】
【００５３】
本発明に係る美肌・美容システムを利用する範囲としては、化粧料を併用した顔や肌に対する簡便な家庭用美肌・美容システムとして、また化粧料を併用した業務用美肌・美容システムとして、また医薬品を併用した医療用美肌・美容システムとして利用可能である。
【図面の簡単な説明】
【００５４】
【図１】本発明の美肌・美容システムにおいて使用するイオン導入器付き超音波美肌器の斜視図であり、（Ａ）は顔や肌に接する面を表し、（Ｂ）は使用する際の操作パネル面を表している。
【図２】本発明の美肌・美容システムにおいて使用するイオン導入器付き超音波美肌器の一部切欠き断面図であり、（Ａ）は正面透視図であり、（Ｂ）は側面断面図である。
【図３】試験例２における、ビタミンＣ導入、ブランクの溶液のイオン導入後によるコラーゲン量を示す図である。
【図４】試験例３における、シンチレーションカウンターによるビタミンＣの浸透比較図である。
【図５】同様に、試験例３における、シンチレーションカウンターによるビタミンＣの浸透比較図である。
【図６】試験例３における、単純塗布の場合の表皮から真皮に浸透していく変化を経時的に表した図である。
【図７】試験例４における、イオン導入の場合の表皮から真皮に浸透していく変化を経時的に表した図である。
【符号の説明】
【００５５】
１・・・イオン導入器付き超音波美顔器の本体
２・・・イオン導入器
３・・・超音波振動器
４・・・イオン導入用電極
５・・・電源
６・・・ヘッド部
７・・・操作パネル
８・・・化粧料貯留部
９・・・赤外線（遠赤外線）発生器
【図１】
2005245521.tif 000003
【図２】
2005245521.tif 000004
【図３】
2005245521.tif 000005
【図４】
2005245521.tif 000006
【図５】
2005245521.tif 000007
【図６】
2005245521.tif 000008
【図７】
2005245521.tif 000009